(57)【要約】【課題】グラビアシリンダを傷付けることなく彫刻ヘッドとグラビアシリンダとの間のギャップを調整することが可能なギャップ調整装置を提供する。【解決手段】グラビア彫刻機の彫刻ヘッド４に取り付けて該彫刻ヘッド４とグラビアシリンダ５との間のギャップを調整するギャップ調整装置１０を、先端にグラビアシリンダ５に当接する当接部１３ａを有するスライディングシュー１３と、このスライディングシュー１３を軸線回りの回転を規制した状態で軸線方向に進退動させるための操作機構部１４とからなる調整用治具１１、及び、上記スライディングシュー１３の進退動をガイドするシューガイド１２によって構成する。【選択図】図１
2008023971.tif 000002
【特許請求の範囲】
【請求項１】
グラビア彫刻機の彫刻ヘッドに取り付けて該彫刻ヘッドとグラビアシリンダとの間のギャップを調整するためのギャップ調整装置であって、
先端にグラビアシリンダに当接する当接部を有する軸棒状のスライディングシューと、このスライディングシューの基端部側に設けられ、該スライディングシューを軸線回りの回転を規制した状態で軸線方向に進退動させるための操作機構部とからなる調整用治具、及び、上記スライディングシューの進退動をガイドするシューガイド、を有することを特徴とするグラビア彫刻機におけるギャップ調整装置。
【請求項２】
上記調整用治具における操作機構部が、上記彫刻ヘッド側に固定されるスリーブと、このスリーブに回転自在なるように結合され、その回転操作によって軸線方向に進退動するシンブルとを有していて、該シンブルが、上記スライディングシューに対して軸線方向には相互に固定されているが回転方向には非固定の関係を有し、また、上記スリーブが、該スライディングシューに対して回転方向には相互に固定されているが軸線方向には非固定の関係を有するように構成されていることを特徴とする請求項１に記載のギャップ調整装置。
【請求項３】
上記シンブルの内部には、外周に雄螺子を有する螺子棒が同心状に設けられ、また、上記スリーブの内周には、上記雄螺子に螺合する雌螺子が設けられていて、該スリーブの一部がシンブルの内部に嵌合した状態でこれらのスリーブとシンブルとが相対的に変位自在なるように結合されていることを特徴とする請求項２に記載のギャップ調整装置。
【請求項４】
上記シューガイドが円筒状をしていて、このシューガイドに上記調整用治具が着脱自在に取り付けられると共に、このシューガイドを介して該調整用治具が彫刻ヘッドに着脱自在とされていることを特徴とする請求項１から３の何れかに記載のギャップ調整装置。
【発明の詳細な説明】
【技術分野】
【０００１】  本発明は、グラビア彫刻機の彫刻ヘッドに装着して該彫刻ヘッドとグラビアシリンダとの間のギャップを調整するのに用いるギャップ調整装置に関するものである。
【背景技術】
【０００２】  グラビア彫刻機は、例えば特許文献１に記載されているように、グラビアシリンダに対して進退動する彫刻ヘッドを有していて、この彫刻ヘッドにダイヤモンド製のバイトであるスタイラスを装着し、円筒状のグラビアシリンダを回転させながら、上記スタイラスを高速で振動させてグラビアシリンダの外周面にセル（凹点）を形成するものである。【０００３】  上記彫刻ヘッドには、通常、上記スタイラスとグラビアシリンダとの間のギャップを一定に保つためのギャップ調整装置が設けられている。図５に示す従来のギャップ調整装置１は、グラビアシリンダ５に当接する当接部２ａを先端に備えた軸棒状のスライディングシュー２と、彫刻ヘッド４に取り付けられてこのスライディングシュー２の進退動を案内するシューガイド３とで構成されていて、上記スライディングシュー２の外周に形成したピッチの細かい雄螺子２ｂを、シューガイド３の内孔に形成した雌螺子３ａに螺合させることにより、このスライディングシュー２が回転によって進退動自在となっている。
そして、上記スライディングシュー２をハンドル２ｃで直接回転操作して先端の当接部２ａをグラビアシリンダ５の外周面に当接させたあと、更に回転操作して彫刻ヘッド４をグラビアシリンダ５に対して変位させることにより、上記スタイラスとグラビアシリンダ５との間のギャップを必要な大きさに調整するものである。
【特許文献１】  特開平７−８９０３６号公報
【発明の開示】
【発明が解決しようとする課題】
【０００４】  ところが、上記従来のギャップ調整装置は、スライディングシューが進退動操作に伴って回転し、先端の当接部が回転しながらグラビアシリンダに圧接するため、該先端部との摺接によってグラビアシリンダの外周面に傷が付き易いという問題があった。【０００５】  そこで本発明の目的は、グラビアシリンダを傷付けることなく彫刻ヘッドと該グラビアシリンダとの間のギャップを調整することが可能なギャップ調整装置を提供することにある。
【課題を解決するための手段】
【０００６】  上記目的を達成するため本発明のギャップ調整装置は、先端にグラビアシリンダに当接する当接部を有する軸棒状のスライディングシューと、このスライディングシューの基端部側に設けられ、該スライディングシューを軸線回りの回転を規制した状態で軸線方向に進退動させるための操作機構部とからなる調整用治具、及び、上記スライディングシューの進退動をガイドするシューガイドを有することを特徴とするものである。【０００７】  本発明において好ましくは、上記調整用治具における操作機構部が、彫刻ヘッド側に固定されるスリーブと、このスリーブに回転自在なるように結合され、その回転操作によって軸線方向に進退動するシンブルとを有していて、該シンブルが、上記スライディングシューに対して軸線方向には相互に固定されているが回転方向には非固定の関係を有し、また、上記スリーブが、該スライディングシューに対して回転方向には相互に固定されているが軸線方向には非固定の関係を有するように構成されていることである。【０００８】  上記シンブルの内部には、外周に雄螺子を有する螺子棒が同心状に設けられ、また、上記スリーブの内周には、上記雄螺子に螺合する雌螺子が設けられていて、該スリーブの一部がシンブルの内部に嵌合した状態でこれらのスリーブとシンブルとが相対的に変位自在なるように結合されていることが望ましい。【０００９】  また、本発明において好ましくは、上記シューガイドが円筒状をしていて、このシューガイドに上記調整用治具が着脱自在に取り付けられると共に、このシューガイドを介して該調整用治具が彫刻ヘッドに着脱自在とされていることである。
【発明の効果】
【００１０】  本発明によれば、調整用治具の操作機構部を回転操作しても、スライディングシューは非回転の状態で進退動するため、グラビアシリンダを傷付けることなく彫刻ヘッドとグラビアシリンダとの間のギャップを調整することが可能である。
【発明を実施するための最良の形態】
【００１１】  図１は、本発明に係るギャップ調整装置１０をグラビア彫刻機の彫刻ヘッド４に取り付けた状態を概略的に示すもので、このギャップ調整装置１０は、進退動自在のスライディングシュー１３を備えた調整用治具１１と、上記スライディングシュー１３の進退動をガイドするシューガイド１２とからなっていて、このシューガイド１２を介して上記彫刻ヘッド４に着脱可能に取り付けられている。【００１２】  上記調整用治具１１は、図２からも分かるように、上記スライディングシュー１３と、このスライディングシュー１３の基端部側に設けられ、このスライディングシュー１３を軸線Ｌの回りの回転を規制した状態で該軸線Ｌ方向に進退動させるための操作機構部１４とによって構成されている。【００１３】  上記スライディングシュー１３は、円形断面を有する細長い軸棒状の部材からなるもので、グラビアシリンダ５の外面に当接する当接部１３ａを先端に備えている。この当接部１３ａは次第に先細り状をなすように形成されていて、その先端に、ダイヤモンド製のチップが取り付けられている。【００１４】  また、上記操作機構部１４は、上記シューガイド１２に着脱自在かつ固定的に連結するための円筒状のスリーブ１６と、このスリーブ１６に回転自在なるように結合され、その回転操作によって該スリーブ１６に対して軸線方向に進退動するシンブル１７とを有していて、該シンブル１７が、上記スライディングシュー１３に対して軸線方向には相互に固定されているが回転方向には非固定の関係を有し、また、上記スリーブ１６が、上記スライディングシュー１３に対して回転方向には相互に固定されているが軸線方向には非固定の関係を有するように構成されている。【００１５】  上記操作機構部１４の構成について更に詳細に説明する。図４から明らかなように、上記シンブル１７は、先端部１７ａが開放して基端部１７ｂが端壁１７ｃにより閉塞された一端開放形の円筒状部材からなるもので、該シンブル１７の内部には、雄螺子１９ａを外周に有する螺子棒１９が、その基端部１９ｂを上記端壁１７ｃに固定されることによって該シンブル１７と同心状に配設され、該螺子棒１９の先端は上記シンブル１７の先端部１７ａ近くまで延びている。この螺子棒１９の先端には、上記スライディングシュー１３の基端部１３ｂが、該螺子棒１９に対して軸線Ｌの回りに相対的に回転自在であるが軸線Ｌ方向には互いに固定的であるように連結されている。【００１６】  上記シンブル１７の先端部１７ａは、その外周が次第に先細り状に傾斜する円錐面に形成されていて、この円錐面の部分に、複数の目盛り線を円周方向に一定間隔で刻んだ円周目盛り２０が付されると共に、該円錐面に隣接する位置に上記目盛りを読むための数字が付されている。また、該シンブル１７の外周には、回転操作のための摘み部１７ｄが中間部と基端部の２カ所に形成され、これらの摘み部１７ｄの表面には、滑り止めのためのローレット加工が施されている。しかし、図１に鎖線で示すように、回転操作のための大径のハンドル部材２１を別途に取り付けることもできる。【００１７】  また、上記スリーブ１６は、上記シンブル１７に結合するためのスリーブ本体１６ａと、上記シューガイド１２に連���するための連結部１６ｂとからなっている。このうちスリーブ本体１６ａは、上記シンブル１７の内部に嵌合可能な外径寸法を有していて、その基端部内周に雌螺子１６ｃが形成され、該雌螺子１６ｃを上記シンブル１７内部の螺子棒１９に螺合させることにより、該シンブル１７に一部が嵌合した状態で結合されている。そして、このシンブル１７を軸線Ｌを中心にして正逆方向に回転させることにより、該シンブル１７がスリーブ１６に対して該軸線Ｌ方向に相対的に進退動するようになっている。このとき上記スライディングシュー１３は、このスリーブ１６を貫通して該スリーブ１６の前方に延出し、上記シンブル１７と一緒に軸線Ｌ方向に進退動する。
上記スリーブ本体１６ａと連結部１６ｂとは、同じ素材で一体に形成しても良いが、それらを別部品として形成し、一体に連結しても良い。【００１８】  上記スライディングシュー１３が進退動するときの回転を規制するため、該スライディングシュー１３の基端部外側面には、該スライディングシュー１３の軸線方向に延びる係止溝２２が形成され、これに対して上記スリーブ１６には、上記連結部１６ｂにおけるフランジ２３の部分に係子螺子２４が取り付けられ、この係止螺子２４を締め込んでその先端を上記係止溝２２に係止させることにより、上記スライディングシュー１３の回転が規制されるようになっている。これによって該スライディングシュー１３は、上記スリーブ１６に対し、回転が規制された状態で軸線Ｌ方向には相対的に変位自在となっている。【００１９】  上記スリーブ１６には、上記スリーブ本体１６ａの外側面に、複数の目盛り線を軸線方向に一定間隔で刻んだ直線目盛り２５が付されている。この直線目盛り２５は、軸線Ｌ方向に延びる基準線２６の両側に形成された第１目盛り２５ａ及び第２目盛り２５ｂからなるもので、図示した例では、何れの目盛り２５ａ及び２５ｂも目盛り線が１ｍｍ間隔で刻まれると共に、第１目盛り２５ａと第２目盛り２５ｂとの間で目盛り線の位置が互いに１／２ピッチずれている。従って、直線目盛り２５全体について考えると、０．５ｍｍ間隔で目盛り線が付されているのと実質的に同じことである。【００２０】  一方、上記シンブル１７の先端に付された上記円周目盛り２０は、該シンブル先端の円周を５０等分したもので、このシンブル１７を１回転させたとき該シンブル１７が上記直線目盛り２５に沿って０．５ｍｍ変位するように、これらの円周目盛り２０と直線目盛り２５とが相互に関係付けられている。そして、これら両目盛り２０，２５の相互関係によって、上記スライディングシュー１３の変位量即ちギャップ調整量が表示されるように構成されている。これは、精密計測のためのマイクロメータと同じ原理である。【００２１】  また、上記シューガイド１２は、図３に示すように、細長い円筒状をした中空の部材であって、彫刻ヘッド４の取付孔４ａ内に挿入することによって該彫刻ヘッド４に取り付けられるようになっており、取付時の位置決め用としてその基端部には、フランジ２８が形成されている。図中３２は、このシューガイド１２の外周に取り付けられたＯリングで、上記取付孔４ａの内周とこのシューガイド１２の外周との間をシールするためのものである。【００２２】  上記シューガイド１２の基端部には、上記調整用治具１１におけるスリーブ１６の連結部１６ｂが嵌合する嵌合部２９が形成されていて、この嵌合部２９の位置に、該嵌合部２９を半円の形に２分割する直径方向のスリット３０が設けられると共に、上記フランジ２８の位置にこのスリット３０を横切るように一対の固定用螺子３１が取り付けられ、この嵌合部２９に上記スリーブ１６の連結部１６ｂを嵌入させて上記固定用螺子３１を締め付けることにより、該嵌合部２９の径が縮小されて上記調整用治具１１がこのシューガイド１２に挟持、固定されるようになっている。従って、上記固定用螺子３１を取り外せば、上記調整用治具１１をこ��シューガイド１２から取り外すことができる。【００２３】  上記調整用治具１１をシューガイド１２に取り付けたとき、上記スライディングシュー１３は、このシューガイド１２を貫通して先端の当接部１３ａが該シューガイド１２から前方に突出するが、その殆どの部分はこのシューガイド１２の中心孔１２ａ内に摺動状態に嵌合し、このシューガイド１２によって進退動が案内されるようになっている。従ってこのシューガイド１２は、上記スライディングシュー１３の進退動をガイドする機能と、上記調整用治具１１を彫刻ヘッド４に取り付けるための取付部材としての機能とを兼ね備えるものである。【００２４】  上記構成を有するギャップ調整装置１０は、スライディングシュー１３を進退動させて先端の当接部１３ａをグラビアシリンダ５の外周面に当接させ、その状態でさらに該スライディングシュー１３を進退動させて彫刻ヘッド４をグラビアシリンダ５に対して変位させることにより、該彫刻ヘッド４即ちスタイラスとグラビアシリンダ５との間のギャップを必要な大きさに調整するものである。【００２５】  上記スライディングシュー１３の進退動は、上記調整用治具１１における操作機構部１４のシンブル１７を、正逆方向に回転操作することによって行われる。即ち、このシンブル１７を回転させると、螺子棒１９も一体となって回転するが、この螺子棒１９と螺合する上記スリーブ１６はシューガイド１２に固定されていて回転しないため、この螺子棒１９とシンブル１７とが、上記スリーブ１６に対して相対的に回転しながら軸線Ｌ方向に変位することになる。【００２６】  このとき、上記スライディングシュー１３もシンブル１７と一緒に変位するが、このスライディングシュー１３は、該シンブル１７に対し、相対的に回転自在であるが軸線Ｌ方向には互いに固定関係にあり、また、スリーブ１６に対しては、回転が規制された状態で軸線Ｌ方向には相対的に変位可能なるように係合しているため、該スライディングシュー１３自身は回転することなく、軸線Ｌ方向への進退動のみを行うことになる。この結果、このスライディングシュー１３の当接部１３ａによってグラビアシリンダ５の外周面を傷付けることなく、上記彫刻ヘッド４とグラビアシリンダ５との間のギャップを調整することが可能となる。【００２７】  上記実施形態のギャップ調整装置１０においては、上記調整用治具１１がシューガイド１２に着脱自在に取り付けられていて、このシューガイド１２を介して彫刻ヘッド４に装着されるようになっているが、これらの調整用治具１１とシューガイド１２とは必ずしも相互に結合可能である必要はなく、それらを別々に彫刻ヘッド４に取り付けても良い。即ち、彫刻ヘッド４の取付孔４ａ内に適宜構成を有する筒状のシューガイドを装着し、上記調整用治具１１は単独で該彫刻ヘッド４に着脱自在に取り付け、そのスライディングシュー１３が上記シューガイドによってガイドされるように構成することもできる。【００２８】  なお、上記調整用治具１１には、ギャップを調整したあと振動等でシンブル１７が回転するのを防止するため、止め螺子やフックあるいは摩擦等の制動を手段を備えた適宜構成のロック装置を、操作機構部１４やその他の場所に付設しても良い��
【図面の簡単な説明】
【００２９】
【図１】本発明に係るギャップ調整装置をグラビア彫刻機の彫刻ヘッドに取り付けた状態を概略的に示す側面図である。
【図２】調整用治具の側面図である。
【図３】シューガイドの断面図である。
【図４】上記調整用治具における操作機構部の拡大断面図である。
【図５】従来のギャップ調整装置の側面図である。
【符号の説明】
【００３０】  ４      彫刻ヘッド
５      グラビアシリンダ
１０      ギャップ調整装置
１１      調整用治具
１２      シューガイド
１３      スライディングシュー
１３ａ    当接部
１４      操作機構部
１６      スリーブ
１６ｃ    雌螺子
１７      シンブル
１９      螺子棒
２０      円周目盛り
２５      直線目盛り
Ｌ      軸線
【図１】
2008023971.tif 000003
【図２】
2008023971.tif 000004
【図３】
2008023971.tif 000005
【図４】
2008023971.tif 000006
【図５】
2008023971.tif 000007